(57)【要約】【課題】例えば、一つの紫外線照射装置で異なる性質の処理水に対応できる紫外線処理装置および水処理装置を得る。【解決手段】実施形態の紫外線照射装置は、例えば、第一の管と、第二の管と、紫外線照射部と、を備える。第二の管は、第一の管の内側に設けられ、紫外線透過性の透過壁部を有する。紫外線照射部は、第一の管と第二の管との間に設けられ、当該第一の管と第二の管との間を流れる第一の処理水に紫外線を照射可能であるとともに、第二の管の内側を流れる第二の処理水に透過壁部を介して紫外線を照射可能である。【選択図】図３
2017159277.tif 000002
【特許請求の範囲】
【請求項１】
第一の管と、
前記第一の管の内側に設けられ、紫外線透過性の透過壁部を有した第二の管と、
前記第一の管と前記第二の管との間に設けられ、当該第一の管と第二の管との間を流れる第一の処理水に紫外線を照射可能であるとともに、前記第二の管の内側を流れる第二の処理水に前記透過壁部を介して紫外線を照射可能な紫外線照射部と、
を備えた、紫外線照射装置。
【請求項２】
複数の前記第二の管と、
前記第二の管の軸方向の一方側に位置され、第一の入口開口と、前記第一の入口開口から流入された前記第二の処理水を前記第二の管のそれぞれに分配する分配通路と、が設けられた分配部と、
前記第二の管の軸方向の他方側に位置され、第一の出口開口と、前記第二の管のそれぞれを通過した前記第二の処理水を集約して前記第一の出口開口から流出させる集約通路と、が設けられた集約部と、
を備えた、請求項１に記載の紫外線照射装置。
【請求項３】
前記紫外線照射部は、前記第二の管の周方向に一定の間隔で配置された複数の紫外線ランプ、を有し、
前記紫外線ランプのそれぞれの点灯を制御する制御部、を備えた、請求項１または２に記載の紫外線照射装置。
【請求項４】
前記第一の処理水は、前記第二の処理水よりも紫外線透過率が低い水である、請求項１〜３のうちいずれか一つに記載の紫外線照射装置。
【請求項５】
請求項１〜４のうちいずれか一つに記載の紫外線照射装置と、
前記紫外線照射装置で紫外線が照射された前記第一の処理水を濾過する逆浸透膜、を有した濾過部と、
を備えた、水処理装置。
【請求項６】
前記第二の処理水は、前記濾過部を通過後の前記第一の処理水である、請求項５に記載の水処理装置。
【発明の詳細な説明】
【技術分野】
【０００１】
本発明の実施形態は、紫外線照射装置および水処理装置に関する。
【背景技術】
【０００２】
従来、第一の管および当該第一の管の内部に延設される第二の管を有し、第一の管の内側を流れる処理水に第二の管の内部から透過壁部を介して紫外線を照射可能な紫外線照射部、を備えた紫外線照射装置が知られている。
【先行技術文献】
【特許文献】
【０００３】
【特許文献１】特開２０１２−９６１５９号公報
【発明の概要】
【発明が解決しようとする課題】
【０００４】
上記従来の構造では、例えば、水質や水量などといった異なる性質の処理水を紫外線処理する場合には、それぞれ別々の紫外線照射装置が必要になる。この種の構造では、一つの紫外線照射装置で異なる性質の処理水に対応できる紫外線処理が望まれている。
【課題を解決するための手段】
【０００５】
実施形態の紫外線照射装置は、例えば、第一の管と、第二の管と、紫外線照射部と、を備える。第二の管は、第一の管の内側に設けられ、紫外線透過性の透過壁部を有する。紫外線照射部は、第一の管と第二の管との間に設けられ、当該第一の管と第二の管との間を流れる第一の処理水に紫外線を照射可能であるとともに、第二の管の内側を流れる第二の処理水に透過壁部を介して紫外線を照射可能である。
【図面の簡単な説明】
【０００６】
【図１】図１は、第１実施形態の紫外線照射装置を備えた水処理装置の構成図である。
【図２】図２は、第１実施形態の紫外線照射装置の断面図である。
【図３】図３は、図２のIII−III断面図である。
【図４】図４は、図２の一部の拡大図である。
【図５】図５は、第２実施形態の紫外線照射装置を備えた水処理装置の構成図である。
【図６】図６は、第２実施形態の紫外線照射装置の断面図である。
【図７】図７は、図６のVII−VII断面図である。
【図８】図８は、図７の一部の模式的な拡大図である。
【図９】図９は、第２実施形態の紫外線照射装置の紫外線照射部の紫外線出力と波長との関係が示された図である。
【図１０】図１０は、第２実施形態の紫外線照射装置の紫外線照射部の構成図である。
【図１１】図１１は、第２実施形態の紫外線照射装置の制御部による紫外線照射部の点灯の制御を説明する図である。
【図１２】図１２は、第２実施形態の第１変形例の紫外線照射装置の紫外線照射部の断面図である。
【図１３】図１３は、第２実施形態の第２変形例の紫外線照射装置の紫外線照射部の断面図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、方向が規定されている。Ｘ方向は、紫外線照射装置１０（第一の管１１）の中心軸Ａｘの軸方向、Ｃ方向は、中心軸Ａｘの周方向である。
【０００９】
＜第１実施形態＞
図１に示されるように、水処理装置１は、例えば、紫外線照射装置１０と、第一の処理部２０と、第二の処理部３０と、を備える。第一の処理部２０は、紫外線照射装置１０の上流側に位置され、第二の処理部３０は、紫外線照射装置１０の下流側に位置されている。第一の処理部２０は、前処理部等とも称され、第二の処理部３０は、後処理部等とも称される。
【００１０】
第一の処理部２０は、例えば、スクリーン２１（固液分離機）や、最初沈殿池２２、反応タンク２３、メンブランフィルタ２４ａが設けられた濾過部２４を有する。第一の処理部２０では、例えば、下水や工場排水等の汚水が浄化される。第一の処理部２０での処理は、一般的に用いられる最終沈殿池に替えてメンブランフィルタ２４ａを使用した、所謂膜分離活性汚泥法が用いられている。この膜分離活性汚泥法によれば、従来の標準活性汚泥法（沈殿法）と比べて、第一の処理部２０をより小型に構成できたり、活性汚泥の処理水Ｗ１への流出（キャリーオーバー）を抑制できたりといった利点がある。メンブランフィルタ２４ａは、精密濾過膜や、限外濾過膜等とも称される。
【００１１】
また、メンブランフィルタ２４ａで活性汚泥と分離された処理水Ｗ１は、入口開口３を介して、紫外線照射装置１０内に導入される。図２，３にも示されるように、処理水Ｗ１は、紫外線照射装置１０の第一の流路７をＸ方向に沿って、例えば図２の左側から右側へと流れる。この間に、処理水Ｗ１は、紫外線照射部１３から照射された紫外線によって殺菌され、出口開口４を介して、紫外線照射装置１０外に排出される。処理水Ｗ１は、第一の処理水の一例である。
【００１２】
図１に示されるように、第二の処理部３０は、例えば、逆浸透膜３１ａが設けられた濾過部３１を有する。ここで、第二の処理部３０では、出口開口４から排出された水、すなわち紫外線によって殺菌された処理水Ｗ１が浄化される。具体的には、逆浸透膜３１ａによって、処理水Ｗ１に含まれる塩類やイオン等の不純物が除去された処理水Ｗ２と、これらの不純物が濃縮された濃縮水Ｗ３と、に分離される。処理水Ｗ２の流量は、処理水Ｗ１の流量に対して、約４０〜５０％程度である。そして、処理水Ｗ２、すなわち濾過部３１を通過した処理水Ｗ１は、入口開口５を介して、紫外線照射装置１０内に再び導入される。処理水Ｗ２は、第二の処理水の一例である。
【００１３】
図２，３にも示されるように、処理水Ｗ２は、紫外線照射装置１０の第二の流路８をＸ方向に沿って、例えば図２の右側から左側へと流れる。この間に、処理水Ｗ２は、紫外線照射部１３から照射された紫外線によって再度殺菌され、出口開口６を介して、紫外線照射装置１０外に排出される。紫外線で殺菌された処理水Ｗ２は、例えば、再生水として再利用される。
【００１４】
図２，３に示されるように、紫外線照射装置１０は、第一の管１１と、第二の管１２と、紫外線照射部１３と、蓋部１４と、を有する。第一の管１１、第二の管１２、および紫外線照射部１３は、それぞれ、Ｘ方向に沿って延びた円筒状に構成されている。また、第二の管１２は、第一の管１１の内部に延設され、紫外線照射部１３は、第一の管１１と第二の管１２との間の空間内に延設されている。図３に示されるように、第二の管１２の中心軸が第一の管１１の中心軸Ａｘに一致した同心状に配置されている。また、複数（例えば、ここでは８本）の紫外線照射部１３が、第一の管１１と第二の管１２とで囲まれた空間内に一定の間隔で延設されている。
【００１５】
図２に示されるように、第一の管１１は、例えば、筒状部１１ａと、２つの端板部１１ｂと、を有する。筒状部１１ａは、円筒状に構成され、端板部１１ｂは、円板状に構成されている。また、２つの端板部１１ｂのうち一方によって、筒状部１１ａのＸ方向の一方側の端部が部分的に塞がれ、他方によって、筒状部１１ａのＸ方向の他方側の端部が部分的に塞がれている。筒状部１１ａと端板部１１ｂとは、例えば、溶接等によって互いに結合されている。
【００１６】
また、図２に示されるように、筒状部１１ａには、Ｘ方向に互いに間隔をあけて入口開口３および出口開口４が設けられている。入口開口３および出口開口４は、それぞれ、第一の流路７と接続されている。図３，４に示されるように、第一の流路７は、例えば、筒状部１１ａ、２つの端板部１１ｂ、および第二の管１２によって囲まれた空間部であり、紫外線照射部１３を収容している。筒状部１１ａおよび端板部１１ｂは、金属材料等の紫外線を吸収することなく空間部内に反射する材料で構成される。入口開口５および出口開口６は、第一の入口開口および第一の出口開口の一例である。
【００１７】
また、図４に示されるように、２つの端板部１１ｂは、それぞれ、中心軸Ａｘ側を含む第一の部分１１ｂ１と、外周部を含む第二の部分１１ｂ２と、を有する。第一の部分１１ｂ１は、端板部１１ｂのうち筒状部１１ａの筒内（第一の流路７）を塞ぐ部分であり、第二の部分１１ｂ２は、第一の部分１１ｂ１から筒状部１１ａの径方向の外側に張り出した部分である。
【００１８】
また、第一の部分１１ｂ１には、第二の管１２および紫外線照射部１３のそれぞれがＸ方向に貫通するための開口部１１ｃ，１１ｄが設けられている。具体的には、第二の管１２に対応して第一の部分１１ｂ１の中心部に開口部１１ｃが設けられるとともに、紫外線照射部１３に対応して複数の開口部１１ｄが開口部１１ｃの周囲を取り囲むように設けられている。第二の管１２および紫外線照射部１３は、２つの端板部１１ｂのそれぞれに設けられた開口部１１ｃ，１１ｄによって、Ｘ方向に沿った姿勢で支持されている。
【００１９】
また、開口部１１ｃ，１１ｄの第一の流路７とは反対側には、それぞれ、シール部材１６，１７が設けられている。シール部材１６は、例えば、Ｏリングであり、シール部材１７は、例えば、Ｃリングである。シール部材１６，１７によって、第二の管１２および紫外線照射部１３のそれぞれの周縁部が塞がれ、液体が漏れるのが抑制されている。
【００２０】
また、蓋部１４は、例えば、底壁部１４ａと、周壁部１４ｂと、フランジ部１４ｃと、を有する。底壁部１４ａは、円板状に構成され、端板部１１ｂのＸ方向の延長線上に離れて位置されている。周壁部１４ｂは、底壁部１４ａの周縁部から端板部１１ｂ側に向けて円筒状に突出している。フランジ部１４ｃは、周壁部１４ｂの底壁部１４ａとは反対側の端部から、周壁部１４ｂの径方向の外側に張り出している。図２に示されるように、蓋部１４は、２つの端板部１１ｂに対応して第一の管１１のＸ方向の両端部のそれぞれに設けられている。そして、蓋部１４のフランジ部１４ｃと端板部１１ｂの第二の部分１１ｂ２とが、例えば、溶接や、締結、接着等によって互いに結合され、結合された部分から処理水が漏れるのが抑制されている。
【００２１】
また、蓋部１４のそれぞれの内側には、第三の流路９が設けられている。図４にも示されるように、第三の流路９は、底壁部１４ａ、周壁部１４ｂ、フランジ部１４ｃ、および端板部１１ｂによって囲まれた空間部であり、紫外線照射部１３の少なくとも一部を収容している。また、図２に示されるように、２つの蓋部１４のうち一方の周壁部１４ｂに入口開口５が設けられ、他方の周壁部１４ｂに出口開口６が設けられている。入口開口５および出口開口６は、第三の流路９を介して、第二の管１２の内側、すなわち第二の流路８と接続されている。
【００２２】
また、図４に示されるように、底壁部１４ａには、紫外線照射部１３のそれぞれがＸ方向に貫通する開口部１４ｄが設けられている。紫外線照射部１３は、２つの蓋部１４のそれぞれに設けられた開口部１４ｄによって、Ｘ方向に沿った姿勢で支持されている。また、開口部１４ｄの第三の流路９とは反対側には、それぞれ、シール部材１８が設けられている。シール部材１８は、例えば、Ｏリングである。シール部材１８によって、紫外線照射部１３のそれぞれの周縁部が塞がれ、塞がれた部分から処理水が漏れるのが抑制されている。
【００２３】
図３に示されるように、第二の管１２は、円筒状の筒状部１２ａを有する。筒状部１２ａの直径は、第一の管１１（筒状部１１ａ）の直径よりも小さく、紫外線照射部１３（ランプ保護管１３ｂ）の直径よりも大きい。また、図４に示されるように、筒状部１２ａのＸ方向に沿った長さは、第一の管１１のＸ方向に沿った長さと略同じかあるいは大きく、紫外線照射部１３のＸ方向に沿った長さよりも小さい。筒状部１２ａの内面は、第二の流路８を形成し、筒状部１２ａの外面は、第一の流路７を形成している。筒状部１２ａは、例えば、石英ガラス等の紫外線透過性の材料によって構成され、紫外線照射部１３から照射された紫外線は、筒状部１２ａを介して、第二の流路８を流れる処理水Ｗ２に入射される。筒状部１２ａは、透過壁部の一例である。なお、本実施形態では、筒状部１２ａの全体が透過壁部として構成された場合が例示されたが、筒状部１２ａの一部が透過壁部として構成されてもよい。この場合、筒状部１２ａの透過壁部以外の部分では、紫外線を第一の流路７（処理水Ｗ１）側に反射させるよう構成してもよい。
【００２４】
図３に示されるように、紫外線照射部１３は、例えば、紫外線ランプ１３ａと、ランプ保護管１３ｂと、を有する。紫外線ランプ１３ａおよびランプ保護管１３ｂは、第一の流路７に位置されている。ランプ保護管１３ｂは、円筒状に構成され、紫外線ランプ１３ａの周囲を覆っている。ランプ保護管１３ｂは、第一の流路７を流れる処理水Ｗ１が、紫外線ランプ１３ａに直接接触しないよう保護している。また、図２，４に示されるように、紫外線照射部１３のうちランプ保護管１３ｂが２つの蓋部１４の間に亘って設けられ、紫外線ランプ１３ａは、第一の流路７および第二の流路８と略同じ範囲に亘って設けられている。紫外線ランプ１３ａは、図２に示される導電部材１９を介して、点灯装置２（図１０参照）と電気的に接続されている。紫外線ランプ１３ａは、例えば、低圧アマルガムランプや、中圧紫外線ランプ等であり、２００ｎｍ〜３００ｎｍ（特に、２５４ｎｍ）の波長の紫外線（図９参照）、および２００ｎｍ以下（特に、１８５ｎｍ）の波長の紫外線を照射可能に構成されている。
【００２５】
また、図３に示されるように、各ランプ保護管１３ｂの内側に、それぞれ一つずつの紫外線ランプ１３ａが収容されている。ランプ保護管１３ｂおよび紫外線ランプ１３ａの容器は、例えば、石英ガラス等の紫外線透過性の材料によって構成される。このように、本実施形態では、８本の紫外線ランプ１３ａがＣ方向に一定の間隔で密に配置されているため、例えば、場所による紫外線の強度のばらつきが抑制されやすくなる。よって、例えば、第一の流路７および第二の流路８のそれぞれを流れる各処理水Ｗ１，Ｗ２に殺菌効果のばらつきが抑制されやすい。
【００２６】
なお、メンブランフィルタ２４ａ（図１参照）を通過した処理水Ｗ１を紫外線処理する場合、紫外線透過率６５（％／ｃｍ）程度に対して紫外線照射量８０（ｍＪ／ｃｍ２）以上が求められ、逆浸透膜３１ａを通過した処理水Ｗ２を紫外線処理する場合、紫外線透過率９０（％／ｃｍ）程度に対して紫外線照射量５０（ｍＪ／ｃｍ２）以上が求められている。ここで、紫外線透過率とは、特定の光が試料を通過する割合のことであり、一般に水の紫外線処理においては、波長２５４ｎｍの紫外線が１ｃｍの水の漕を通過する割合である。したがって、処理水Ｗ１の紫外線処理については、処理水Ｗ２と比べて低い紫外線透過率の条件で高い紫外線照射量が求められるが、第一の流路７に密に配置された複数の紫外線照射部１３によって処理水Ｗ１が処理水Ｗ２よりも紫外線照射部１３のより近くを流れやすくなるため、所定の紫外線照射量が得られやすくなる。また、処理水Ｗ２の紫外線処理については、処理水Ｗ１と比べて高い紫外線透過率の条件による紫外線照射量となっているため、処理水Ｗ２が処理水Ｗ１よりも紫外線照射部１３から遠くを流れたとしても、所定の紫外線照射量を確保することができる。さらに、処理水Ｗ２の流量は、逆浸透膜３１ａの通過に伴い処理水Ｗ１の流量と比べて約４０〜５０％程度に低下しているため、処理水Ｗ１よりも弱い紫外線強度でも所定の紫外線照射量が得られやすくなる。
【００２７】
以上のように、本実施形態によれば、例えば、第一の管１１、第二の管１２、および紫外線照射部１３によって、一つの紫外線照射装置１０で異なる性質の処理水Ｗ１，Ｗ２を同時に紫外線処理することができる。よって、例えば、異なる性質の処理水Ｗ１，Ｗ２がそれぞれ別々の紫外線照射装置１０で紫外線処理される場合と比べて、紫外線照射装置１０を含む水処理装置１が、より小型化されたり、より低コスト化されたり、より容易にメンテナンス（例えば、紫外線照射部１３の交換等）されたりする。本実施形態では、水処理装置１は、再生水システムの一例である。
【００２８】
また、本実施形態では、処理水Ｗ１は、処理水Ｗ２よりも紫外線透過率が低くかつ処理水Ｗ２よりも多くの紫外線照射量を必要とする水である。よって、本実施形態によれば、処理水Ｗ１が処理水Ｗ２よりも紫外線照射部１３のより近くを流れ、処理水Ｗ２が処理水Ｗ１よりも紫外線照射部１３のより遠くを流れるため、水質や水量といった性質の異なる処理水Ｗ１，Ｗ２が、紫外線照射部１３によって、より効率的に紫外線処理される。
【００２９】
＜第２実施形態＞
図５乃至図１１に示される実施形態の紫外線照射装置１０Ａは、上記第１実施形態の紫外線照射装置１０と同様の構成を備えている。よって、本実施形態によっても、上記第１実施形態と同様の構成に基づく同様の結果（効果）が得られる。
【００３０】
ただし、本実施形態では、例えば、図５乃至図７に示されるように、紫外線照射装置１０Ａの第一の管１１内に複数の第二の管１２が設けられている点が、上記実施形態と相違している。第二の管１２は、それぞれＸ方向に延設された状態で、第一の管１１の端板部１１ｂ（開口部１１ｃ、図４参照）に支持されている。また、図６に示されるように、第一の管１１のＸ方向の両端部には、蓋部１４Ａ，１４Ｂが設けられている。蓋部１４Ａ，１４Ｂは、上記実施形態の蓋部１４と略同様の構成を有しており、それぞれの内側には、第三の流路９Ａ，９Ｂが設けられている。入口開口５は、第三の流路９Ａを介して、各第二の管１２の内側、すなわち第二の流路８のそれぞれと接続されている。また、出口開口６は、第三の流路９Ｂを介して、各第二の管１２の内側、すなわち第二の流路８のそれぞれと接続されている。第三の流路９Ａは、入口開口５から流入された処理水Ｗ２を第二の管１２のそれぞれに分配し、第三の流路９Ｂは、第二の管１２のそれぞれを通過した処理水Ｗ２を集約して出口開口６から流出させる。第三の流路９Ａは、分配通路の一例であり、第三の流路９Ｂは、集約通路の一例である。また、蓋部１４Ａは、分配部の一例であり、蓋部１４Ｂは、集約部の一例である。
【００３１】
また、図７に示されるように、第二の管１２は、それぞれの径方向に互いに離間して位置されている。そして、第二の管１２のそれぞれの周囲には、８本の紫外線照射部１３が円周状に略一定の間隔（例えば、第二の管１２の中心軸Ａｘを基準に円周方向に４５°間隔）で設けられている。紫外線照射部１３は、それぞれＸ方向に延設された状態で、第一の管１１の端板部１１ｂ（開口部１１ｄ、図４参照）、および蓋部１４Ａ，１４Ｂの底壁部１４ａ（開口部１４ｄ、図４参照）に支持されている。
【００３２】
また、図８に示されるように、複数の第二の管１２のうち任意の一つの第二の管１２Ａの回りに、複数（例えば、４つ）の第二の管１２Ｂ〜１２Ｅが円周状に略一定の間隔で配置されている。そして、中心の第二の管１２Ａとその回りの四つの第二の管１２Ｂ〜１２Ｅのうち一つ（周囲の１番目の第二の管１２Ｂとする）とで、二つの紫外線照射部１３（１番目と２番目の紫外線照射部１３Ａ，１３Ｂとする）が共用されている。また、中心の第二の管１２Ａと、１番目の第二の管１２Ｂに対して周方向の一方（例えば時計回り方向）に９０°間隔をあけて配置された２番目の第二の管１２Ｃとで、３番目と４番目の紫外線照射部１３Ｃ，１３Ｄが共用されている。同様に、中心の第二の管１２Ａと周囲の３番目の第二の管１２Ｄとの間で５番目と６番目の紫外線照射部１３Ｅ，１３Ｆが共用され、中心の第二の管１２Ａと周囲の４番目の第二の管１２Ｅとの間で７番目と８番目の紫外線照射部１３Ｇ，１３Ｈが共用されている。このように、本実施形態では、径方向に互いに隣接した二つの第二の管１２で紫外線照射部１３が共用されている。また、中心の第二の管１２Ａの回りに配置された８本の紫外線照射部１３Ａ〜１３Ｈの全てが、二本ずつ、中心の第二の管１２Ａの周囲に配置された四つの第二の管１２Ｂ〜１２Ｅとの間で、共用されている。したがって、使用する紫外線照射部１３の数が低減され、ひいては紫外線照射装置１０Ａの製造に要する手間や費用等が低減される。また、複数の第二の管１２と複数の紫外線照射部１３とが、より効率良く、すなわち空間的により密集された状態で、配置される。
【００３３】
また、図１０，１１に示されるように、紫外線照射装置１０Ａは、例えば、点灯装置２と、制御部９と、を備えている。点灯装置２は、複数の紫外線ランプ１３ａのそれぞれに電力を供給する。制御部９は、点灯装置２から紫外線ランプ１３ａへ供給される電流を制御することで、紫外線ランプ１３ａのそれぞれの点灯を制御する。
【００３４】
また、本実施形態では、水処理装置１Ａの構成も、上記第１実施形態と相違している。図５に示されるように、水処理装置１Ａは、紫外線照射装置１０Ａと、第一の処理部２０Ａと、第二の処理部３０Ａと、を備える。第一の処理部２０Ａは、紫外線照射装置１０Ａの上流側に位置され、第二の処理部３０Ａは、紫外線照射装置１０Ａの下流側に位置されている。
【００３５】
第一の処理部２０Ａは、沈砂池２５や、着水井２６、沈殿池２７、濾過池２９等を有する。第一の処理部２０Ａでは、例えば、表流水等の原水が浄化される。沈砂池２５では、沈殿によって原水に含まれている砂利や砂等が除去され、着水井２６では、沈砂池２５を通過した処理水の水位や水量等が調整される。また、沈殿池２７では、薬品注入部２８から注入された薬品（例えば、凝集剤やｐＨ調整剤等）によって形成されたフロックが沈殿除去され、濾過池２９では、沈殿池２７で除去されなかった濁質が分離除去される。また、濾過池２９を通過した処理水Ｗ１は、入口開口３を介して、紫外線照射装置１０Ａ内に導入される。図６，７にも示されるように、処理水Ｗ１は、紫外線照射装置１０Ａの第一の流路７をＸ方向に沿って、例えば図６の左側から右側へと流れる。この間に、処理水Ｗ１は、紫外線照射部１３から照射された紫外線によって殺菌され、処理水Ｗ２として出口開口４を介して、紫外線照射装置１０Ａ外に排出される。
【００３６】
また、処理水Ｗ２は、入口開口５を介して、紫外線照射装置１０Ａ内に再び導入される。処理水Ｗ２は、紫外線照射装置１０Ａの第二の流路８をＸ方向に沿って、例えば図６の右側から左側へと流れる。この間に、処理水Ｗ２は、紫外線照射部１３から照射された紫外線によって再度殺菌され、処理水Ｗ４として出口開口６を介して、紫外線照射装置１０Ａ外に排出される。
【００３７】
また、図５に示されるように、第二の処理部３０Ａは、例えば、薬品注入部３２を有する。処理水Ｗ４は、浄水池３３で貯留され、薬品注入部３２から注入された薬品（例えば、塩素等）によって紫外線耐性にある病原性微生物が殺菌され、浄水として利用される。水処理装置１Ａは、浄水システムの一例である。
【００３８】
図９に示されるように、紫外線ランプ１３ａは、例えば、低圧アマルガムランプであり、２５４ｎｍの波長の紫外線、および１８５ｎｍの波長の紫外線を照射可能に構成されている。よって、処理水Ｗ１，Ｗ２には、第一の流路７および第二の流路８（図６，７参照）のそれぞれを流れる間に二つの波長の紫外線が入射されるが、１８５ｎｍの波長の紫外線は、水を励起して非常に酸化力の強い・ＯＨラジカルを発生するため、処理水Ｗ１，Ｗ２に含まれる臭気物質や有害化学物質は酸化分解され除去される。また、２５４ｎｍの波長の紫外線によって、処理水Ｗ１，Ｗ２に含まれる病原性微生物は不活化され殺菌処理される。
【００３９】
また、図１０，１１に示されるように、本実施形態では、臭気物質や有害化学物質の対策が不要な場合には、点灯装置２および制御部３によって、紫外線ランプ１３ａのそれぞれを選択的に点灯させている。図１１の例では、第二の管１２のそれぞれの周囲に配置された８本の紫外線ランプ１３ａが、各第二の管１２の周方向で一つ置きに点灯（消灯）されている。すなわち、点灯された紫外線ランプ１３ａ１と消灯された紫外線ランプ１３ａ２とが、各第二の管１２の周方向で交互に配置されている。
【００４０】
図１１に示されるように、上述した本実施形態における複数の第二の管１２と複数の紫外線照射部１３とのレイアウトによれば、全ての第二の管１２において、複数の紫外線ランプ１３ａが周方向に一つ置きに点灯される。このように、本実施形態では、紫外線ランプ１３ａのそれぞれの点灯を制御する制御部９を備えるため、処理水Ｗ１，Ｗ２の性質に対応でき、紫外線照射装置１０Ａの省エネ化が図られやすい。
【００４１】
また、点灯装置２および制御部９によって紫外線ランプ１３ａを各第二の管１２の周方向で一つ置きに点灯させることで、各処理水Ｗ１，Ｗ２に殺菌効果のばらつきが生じるのが抑制されやすい。なお、紫外線ランプ１３ａは、低圧アマルガムランプに限らず、例えば、中圧紫外線ランプ等でもよい。中圧紫外線ランプは、低圧アマルガムランプと比べて一本当たりの紫外線強度が強いため、使用するランプの本数が低減されやすいという利点がある。
【００４２】
また、第二の管１２のそれぞれの周囲に配置される紫外線照射部１３の数は８本に限らず、例えば、２本〜７本、あるいは９本以上であってもよい。図１２に示される第１変形例では、４本の紫外線照射部１３が、各第二の管１２の周方向に一定の間隔で配置され、図１３に示される第２変形例では、３本の紫外線照射部１３が、各第二の管１２の周方向に一定の間隔で配置されている。また、例えば、沈殿池２７（図５参照）で処理された水を処理水Ｗ１として第一の流路７で紫外線処理し、濾過池２９で処理された水を処理水Ｗ２として第二の流路８で紫外線処理してもよい。
【００４３】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素の構造や、種類、方向、形状、大きさ、長さ、幅、厚さ、高さ、数、配置、位置、材質等は、適宜に変更して実施することができる。
【符号の説明】
【００４４】
１…水処理装置、５…入口開口（第一の入口開口）、６…出口開口（第一の出口開口）、９…制御部、９Ａ…第三の流路（分配通路）、９Ｂ…第三の流路（集約通路）、１０…紫外線照射装置、１１…第一の管、１２…第二の管、１２ａ…筒状部（透過壁部）、１３…紫外線照射部、１３ａ…紫外線ランプ、１４Ａ…蓋部（分配部）、１４Ｂ…蓋部（集約部）、３１…濾過部、３１ａ…逆浸透膜、Ｃ…周方向、Ｗ１…処理水（第一の処理水）、Ｗ２…処理水（第二の処理水）、Ｘ…軸方向。
【図１】
2017159277.tif 000003
【図２】
2017159277.tif 000004
【図３】
2017159277.tif 000005
【図４】
2017159277.tif 000006
【図５】
2017159277.tif 000007
【図６】
2017159277.tif 000008
【図７】
2017159277.tif 000009
【図８】
2017159277.tif 000010
【図９】
2017159277.tif 000011
【図１０】
2017159277.tif 000012
【図１１】
2017159277.tif 000013
【図１２】
2017159277.tif 000014
【図１３】
2017159277.tif 000015